(57)【要約】【課題】２台の車両を合体させた際に全体としてロボット玩具に変形する形態変化玩具を提供すること。【解決手段】２台の車両を合体させると、一方の車両がロボット玩具の頭部、腕部および胴部に自動的に変形し、他方の車両がロボット玩具の腰部および脚部を構成する。また、合体を解除した場合には２台の車両は元の形となり、それぞれには車輪が付設されているので、合体を解除した際には車両としてそれぞれ遊ぶことができる。【選択図】図１
2011062400.tif 000002
【特許請求の範囲】
【請求項１】
後端部に第１の連結部が形成された第１の車両と、前端部に第２の連結部が形成された第２の車両とを備え、押圧により前記第１の連結部と前記第２の連結部とを連結させることによって、前記第１の車両が上半身になり、前記第２の車両が下半身となってロボット玩具に可逆的に変形する形態変化玩具であって、
前記第１の車両は、左右の後輪が付設され該第１の車両の後部を構成する第１の固定ブロックと、左側の前輪が付設され該第１の車両の後部を除く部分の左半部を構成する第１の可動ブロックと、右側の前輪が付設され該第１の車両の後部を除く部分の右半部を構成する第２の可動ブロックとを備え、
前記第１の固定ブロックは前記ロボット玩具に変形した際には胴部を構成し、
前記第１の可動ブロックは、後端部が前記第１の固定ブロックに該第１の車両の厚さ方向に延在する軸を介して支持され、該軸を中心とする回動によって、前記第２の可動ブロックに対して当接可能な閉位置と、該第２の可動ブロックに対して離反する開位置とを取り得、第１のばねによって閉位置に向けて付勢され、閉位置で該第１の車両の形態の一部を構成し開位置で前記ロボット玩具の右腕部を構成し、
前記第２の可動ブロックは、後端部が前記第１の固定ブロックに該第１の車両の厚さ方向に延在する軸を介して支持され、該軸を中心とする回動によって、前記第１の可動ブロックに対して当接可能な閉位置と、該第１のブロックに対して離反する開位置とを取り得、第２のばねによって閉位置に向けて付勢され、閉位置で該第１の車両の形態の一部を構成し開位置で前記ロボット玩具の左腕部を構成し、
前記固定ブロックには、
前記第１の可動ブロックを閉位置に係止する第１の係止部と、
前記第２の可動ブロックを閉位置に係止する第２の係止部と、
前端部に前記ロボット玩具の頭部が設けられ、前記第１の車両の前後方向に移動可能で、前記第１の連結部と前記第２の連結部とが連結される際の押圧力によって前方へ移動し、押圧によって前記第１の係止部および前記第２の係止部による係止を解除させた後に前記第１の可動ブロックおよび前記第２の可動ブロックを共に開位置まで回動させるとともに、前記第１の可動ブロックおよび前記第２の可動ブロックの間から前記頭部を突出させる第１のスライダと、
前記第１のスライダを前記第１の車両の後方に向けて付勢し前記第１の連結部と前記第２の連結部との連結が解除された状態では該第１のスライダを該第１の車両の後方に保持する第３のばねと、が設けられている、
ことを特徴とする形態変化玩具。
【請求項２】
前記第１の可動ブロックは、
前記第１の固定ブロックに支持される可動ブロック本体と、
後端部が該可動ブロック本体に前記第１の車両の厚さ方向に延在する軸を介して支持され、該軸を中心とする回動によって該可動ブロック本体に対する没入位置と突出位置とを取り得、第４のばねによって没入位置に向けて付勢され、没入位置で該第１の車両の形態の一部を構成し突出位置で前記ロボット玩具の前記右腕部の下腕部を構成する第１の可動部材とから構成され、
前記第２の可動ブロックは、
前記第１の固定ブロックに支持される可動ブロック本体と、
後端部が該可動ブロック本体に前記第１の車両の厚さ方向に延在する軸を介して支持され、該軸を中心とする回動によって該可動ブロック本体に対する没入位置と突出位置とを取り得、第５のばねによって没入位置に向けて付勢され、没入位置で該第１の車両の形態の一部を構成し突出位置で前記ロボット玩具の前記左腕部の下腕部を構成する第２の可動部材とから構成されている、
ことを特徴とする請求項１に記載の形態変化玩具。
【請求項３】
前記第１の車両を上に前記第２の車両を下にして前記第１の連結部と前記第２の連結部を連結させた際、前記第１の可動ブロックの開位置で該第１の可動ブロックの可動ブロック本体は水平状態となり、前記第１の可動部材は自重によって前記第４のばねの付勢力に抗し前記第１の可動ブロックの可動ブロック本体に対して垂下状態となり、前記第２の可動ブロックの開位置で該第２の可動ブロックの可動ブロック本体は水平状態となり、前記第１の可動部材は自重によって前記第５のばねの付勢力に抗し前記第２の可動ブロックの可動ブロック本体に対して垂下状態となることを特徴とする請求項２に記載の形態変化玩具。
【請求項４】
前記第２の車両は、左右の前輪および後輪が付設された第２の固定ブロックと、前記第２の固定ブロックの左半部を上から被覆可能な第１の殻体と、前記第２の固定ブロックの右半部を上から被覆可能な第２の殻体とを備え、
前記第２の固定ブロックは前記ロボット玩具の腰部および脚部を構成し、
前記第１の殻体は、前記第２の固定ブロックの左側に位置し前記第２の車両の前後方向に延在する軸を中心とする回動によって前記第２の固定ブロックの左半部を被覆する被覆位置と、該左半部を露出させる露出位置とを取り得、被覆位置では前記第２の車両の形態の一部を構成し露出位置では前記ロボット玩具の右脚部の外側部分を構成し、
前記第２の殻体は、前記第２の固定ブロックの右側に位置し前記第２の車両の前後方向に延在する軸を中心とする回動によって前記第２の固定ブロックの右半部を被覆する被覆位置と、該右半部を露出させる露出位置とを取り得、被覆位置では前記第２の車両の形態の一部を構成し露出位置では前記ロボット玩具の左脚部の外側部分を構成し、
前記第２の固定ブロックの内部には、
前記第１の車両の後端部が連結される際に生じる押圧力によって該第２の車両の後方に移動可能な第２のスライダが設置され、
前記第２のスライダを前記第２の車両の前方に向けて付勢し前記第１の連結部と前記第２の連結部との連結が解除された状態では該第２のスライダを該第２の車両の前方に保持する第６のばねが設けられ、
前記第２のスライダは、前記第１の車両の前端部が前記連結部に連結される際に、前記第６のばねの付勢力に抗して前記第１の殻体および前記第２の殻体を押圧して該第１の殻体および該第２の殻体を共に前記第２の固定ブロックの上部を露出させる位置まで回動させる、ことを特徴とする請求項１〜３いずれか一項に記載の形態変化玩具。
【請求項５】
前記第１の殻体は、第７のばねによって被覆位置に向けて付勢され、
前記第２の殻体は、第８のばねによって被覆位置に向けて付勢され、
前記第１の車両の前端部が前記連結部に連結される際に、前記第１の殻体は、前記第２のスライダによって押圧されて前記第７のばねの付勢力に抗して露出位置を取り、前記第２の殻体は、前記第２のスライダによって押圧されて前記第８のばねの付勢力に抗して露出位置を取る、ことを特徴とする請求項４に記載の形態変化玩具。
【請求項６】
前記第２の車両は、第３の可動部材と、第９のばねとを備え、
前記第３の可動部材は、前記第２の固定ブロックの後側に位置し前記第２の車両の幅方向に延在する軸を中心とする回動によって前記第２の固定ブロックに対して閉じる閉位置と、該第２の固定ブロックに対して離反する開位置とを取り得、閉位置では前記第２の車両の形態の一部を構成し開位置では前記ロボット玩具の足部を構成し、
前記第９のばねは、前記第３の可動部材を閉位置に向けて付勢し、
前記第２のスライダは、前記第１の車両の前端部が前記連結部に連結される際に、前記第９のばねの付勢力に抗して前記第３の可動部材を押圧して開位置まで動作させる、ことを特徴とする請求項４または５に記載の形態変化玩具。
【発明の詳細な説明】
【技術分野】
【０００１】
本発明は、形態変化玩具に関するもので、詳しくは、車両がロボット玩具に可逆的に変化する形態変化玩具に関するものである。
【背景技術】
【０００２】
車両がロボット玩具に変形する形態変化玩具として、運転車両と客車とが着脱可能に構成され、運転車両から客車を離脱させると、運転車両が自動でロボット玩具に変形するものが知られている（例えば、特許文献１）。
【先行技術文献】
【特許文献】
【０００３】
【特許文献１】実用新案登録第３０２６６７０号公報
【発明の概要】
【発明が解決しようとする課題】
【０００４】
しかしながら、上記特許文献１に記載の形態変化玩具では、運転車両から客車を離脱させたときに運転車両だけがロボット玩具に変身し、客車はロボット玩具から取り残された形となり、ロボット玩具として遊ぶ場合には客車が無駄となってしまうという問題がある。
【０００５】
本発明は、このような実情に鑑みてなされたもので、２台の車両を合体させた際に全体としてロボット玩具に変形する形態変化玩具を提供することを目的とする。
【課題を解決するための手段】
【０００６】
請求項１の発明は、
後端部に第１の連結部が形成された第１の車両と、前端部に第２の連結部が形成された第２の車両とを備え、押圧により前記第１の連結部と前記第２の連結部とを連結させることによって、前記第１の車両が上半身になり、前記第２の車両が下半身となってロボット玩具に可逆的に変形する形態変化玩具であって、
前記第１の車両は、左右の後輪が付設され該第１の車両の後部を構成する第１の固定ブロックと、左側の前輪が付設され該第１の車両の後部を除く部分の左半部を構成する第１の可動ブロックと、右側の前輪が付設され該第１の車両の後部を除く部分の右半部を構成する第２の可動ブロックとを備え、
前記第１の固定ブロックは前記ロボット玩具に変形した際には胴部を構成し、
前記第１の可動ブロックは、後端部が前記第１の固定ブロックに該第１の車両の厚さ方向に延在する軸を介して支持され、該軸を中心とする回動によって、前記第２の可動ブロックに対して当接可能な閉位置と、該第２の可動ブロックに対して離反する開位置とを取り得、第１のばねによって閉位置に向けて付勢され、閉位置で該第１の車両の形態の一部を構成し開位置で前記ロボット玩具の右腕部を構成し、
前記第２の可動ブロックは、後端部が前記第１の固定ブロックに該第１の車両の厚さ方向に延在する軸を介して支持され、該軸を中心とする回動によって、前記第１の可動ブロックに対して当接可能な閉位置と、該第１のブロックに対して離反する開位置とを取り得、第２のばねによって閉位置に向けて付勢され、閉位置で該第１の車両の形態の一部を構成し開位置で前記ロボット玩具の左腕部を構成し、
前記固定ブロックには、
前記第１の可動ブロックを閉位置に係止する第１の係止部と、
前記第２の可動ブロックを閉位置に係止する第２の係止部と、
前端部に前記ロボット玩具の頭部が設けられ、前記第１の車両の前後方向に移動可能で、前記第１の連結部と前記第２の連結部とが連結される際の押圧力によって前方へ移動し、押圧によって前記第１の係止部および前記第２の係止部による係止を解除させた後に前記第１の可動ブロックおよび前記第２の可動ブロックを共に開位置まで回動させるとともに、前記第１の可動ブロックおよび前記第２の可動ブロックの間から前記頭部を突出させる第１のスライダと、
前記第１のスライダを前記第１の車両の後方に向けて付勢し前記第１の連結部と前記第２の連結部との連結が解除された状態では該第１のスライダを該第１の車両の後方に保持する第３のばねと、が設けられている、
ことを特徴とする形態変化玩具である。
【０００７】
請求項２の発明は、請求項１の形態変化玩具であって、
前記第１の可動ブロックは、
前記第１の固定ブロックに支持される可動ブロック本体と、
後端部が該可動ブロック本体に前記第１の車両の厚さ方向に延在する軸を介して支持され、該軸を中心とする回動によって該可動ブロック本体に対する没入位置と突出位置とを取り得、第４のばねによって没入位置に向けて付勢され、没入位置で該第１の車両の形態の一部を構成し突出位置で前記ロボット玩具の前記右腕部の下腕部を構成する第１の可動部材とから構成され、
前記第２の可動ブロックは、
前記第１の固定ブロックに支持される可動ブロック本体と、
後端部が該可動ブロック本体に前記第１の車両の厚さ方向に延在する軸を介して支持され、該軸を中心とする回動によって該可動ブロック本体に対する没入位置と突出位置とを取り得、第５のばねによって没入位置に向けて付勢され、没入位置で該第１の車両の形態の一部を構成し突出位置で前記ロボット玩具の前記左腕部の下腕部を構成する第２の可動部材とから構成されている、
ことを特徴とする。
【０００８】
請求項３の発明は、請求項２の形態変化玩具であって、
前記第１の車両を上に前記第２の車両を下にして前記第１の連結部と前記第２の連結部を連結させた際、前記第１の可動ブロックの開位置で該第１の可動ブロックの可動ブロック本体は水平状態となり、前記第１の可動部材は自重によって前記第４のばねの付勢力に抗し前記第１の可動ブロックの可動ブロック本体に対して垂下状態となり、前記第２の可動ブロックの開位置で該第２の可動ブロックの可動ブロック本体は水平状態となり、前記第１の可動部材は自重によって前記第５のばねの付勢力に抗し前記第２の可動ブロックの可動ブロック本体に対して垂下状態となることを特徴とする。
【０００９】
請求項４の発明は、請求項１〜３いずれか一項に記載の形態変化玩具であって、
前記第２の車両は、左右の前輪および後輪が付設された第２の固定ブロックと、前記第２の固定ブロックの左半部を上から被覆可能な第１の殻体と、前記第２の固定ブロックの右半部を上から被覆可能な第２の殻体とを備え、
前記第２の固定ブロックは前記ロボット玩具の腰部および脚部を構成し、
前記第１の殻体は、前記第２の固定ブロックの左側に位置し前記第２の車両の前後方向に延在する軸を中心とする回動によって前記第２の固定ブロックの左半部を被覆する被覆位置と、該左半部を露出させる露出位置とを取り得、被覆位置では前記第２の車両の形態の一部を構成し露出位置では前記ロボット玩具の右脚部の外側部分を構成し、
前記第２の殻体は、前記第２の固定ブロックの右側に位置し前記第２の車両の前後方向に延在する軸を中心とする回動によって前記第２の固定ブロックの右半部を被覆する被覆位置と、該右半部を露出させる露出位置とを取り得、被覆位置では前記第２の車両の形態の一部を構成し露出位置では前記ロボット玩具の左脚部の外側部分を構成し、
前記第２の固定ブロックの内部には、
前記第１の車両の後端部が連結される際に生じる押圧力によって該第２の車両の後方に移動可能な第２のスライダが設置され、
前記第２のスライダを前記第２の車両の前方に向けて付勢し前記第１の連結部と前記第２の連結部との連結が解除された状態では該第２のスライダを該第２の車両の前方に保持する第６のばねが設けられ、
前記第２のスライダは、前記第１の車両の前端部が前記連結部に連結される際に、前記第６のばねの付勢力に抗して前記第１の殻体および前記第２の殻体を押圧して該第１の殻体および該第２の殻体を共に前記第２の固定ブロックの上部を露出させる位置まで回動させる、ことを特徴とする。
【００１０】
請求項５の発明は、請求項４に記載の形態変化玩具であって、
前記第１の殻体は、第７のばねによって被覆位置に向けて付勢され、
前記第２の殻体は、第８のばねによって被覆位置に向けて付勢され、
前記第１の車両の前端部が前記連結部に連結される際に、前記第１の殻体は、前記第２のスライダによって押圧されて前記第７のばねの付勢力に抗して露出位置を取り、前記第２の殻体は、前記第２のスライダによって押圧されて前記第８のばねの付勢力に抗して露出位置を取る、ことを特徴とする。
【００１１】
請求項６の発明は、請求項４または５に記載の形態変化玩具であって、
前記第２の車両は、第３の可動部材と、第９のばねとを備え、
前記第３の可動部材は、前記第２の固定ブロックの後側に位置し前記第２の車両の幅方向に延在する軸を中心とする回動によって前記第２の固定ブロックに対して閉じる閉位置と、該第２の固定ブロックに対して離反する開位置とを取り得、閉位置では前記第２の車両の形態の一部を構成し開位置では前記ロボット玩具の足部を構成し、
前記第９のばねは、前記第３の可動部材を閉位置に向けて付勢し、
前記第２のスライダは、前記第１の車両の前端部が前記連結部に連結される際に、前記第９のばねの付勢力に抗して前記第３の可動部材を押圧して開位置まで動作させる、ことを特徴とする。
【発明の効果】
【００１２】
本発明の形態変化玩具によれば、２台の車両を合体させることによって、全体としてロボット玩具に変形し、合体を解除させることによって、２台の車両に変形する。
【図面の簡単な説明】
【００１３】
【図１】本発明に係る形態変化玩具の一実施形態を概念的に示した斜視図であり、（Ａ）はロボット玩具に変形前の状態を示し、（Ｂ）は変形後の状態を示している。
【図２】一方の車両の分解斜視図である。
【図３】他方の車両の分解斜視図である。
【図４】車両の構造を概念的に示した一部を切り欠いて示した斜視図である。
【図５】一方の車両の変形動作を示した説明図であり、（Ａ）はロボット玩具に変形前の状態を示し、（Ｂ）は変形後の状態を示している。
【図６】他方の車両の変形動作を示した説明図であり、（Ａ）はロボット玩具に変形前の状態を示し、（Ｂ）は変形後の状態を示している。
【図７】車両の展示装置を示した概念図で、(Ａ)は車両が互いに分離した状態を示し、（Ｂ）は車両が合体した状態を示している。
【発明を実施するための形態】
【００１４】
（全体構成）
本実施形態の形態変化玩具１は、図１（Ａ）に示すように、２台の車両１００，２００によって構成されている。２台の車両１００，２００は、互いに合体させることによって、図１（Ｂ）に示すようなロボット玩具３００に変形する。
すなわち、２台の車両１００，２００を互いに合体させると、車両１００は、車両１００の前側部分が左右２つに割れ、割れた部分が車両１００の厚さ方向に延在する軸１０１を中心に左右に開いて上腕３０１、下腕３０２および胴部３０３が構成され、左右の上腕３０１の間から頭部３０４が突出することによって、ロボット玩具３００の上半身となる。また、車両２００は、車両２００の上側部分が左右２つに割れ、割れた部分が車両２００の長手方向に延在する軸２０１を中心に左右に開いて腰部３０５および脚部３０６が構成され、後部からは足部３０７が突出することによって、ロボット玩具３００の下半身となる。
【００１５】
（車両１００）
車両１００は自動車玩具である。車両１００は、左右の後輪１０２が付設された固定ブロック１０３と、左右の前輪１０４が１つずつ付設された２つの可動ブロック１０５とを備えている。そして、車両１００の形態は、固定ブロック１０３、２つの可動ブロック１０５によって構成されている。
【００１６】
（固定ブロック１０３）
固定ブロック１０３は車両１００の後部の形態を構成し、ロボット玩具３００に変形の際には胴部を構成する。
固定ブロック１０３は下枠１０６と蓋体１０７とを備えている。固定ブロック１０３には、下枠１０６と蓋体１０７とによって形成される機構ボックス１０８および連結部１０９が設けられている。
下枠１０６における機枠ボックス部分は壁１０８ａによって構成されている。この機構ボックス部分を構成する壁１０８ａのうち左右の壁の外側には後輪１０２が１つずつ付設されている。下枠１０６における壁１０８ａによって囲繞された部分の底壁には軸受１１０が形成されている。軸受１１０は上述の軸１０１の下端部を支持するためのものである。また、下枠１０６における壁１０８ａによって囲繞された部分の左右側壁には軸受１１１が形成されている。軸受１１１は後述の係止部材１１２の軸１１２ａの両端部を支持するためのものである。
下枠１０６の機構ボックス部分の前側には案内板１１３が設けられている。案内板１１３には長孔１１３ａが形成されている。
なお、固定ブロック１０３に設けられる連結部１０９の構造については後述する。
【００１７】
（係止部材１１２）
係止部材１１２には、後端側に位置する基端部の上面左右に三角状の突起１１２ｂが設けられている。突起１１２ｂの上縁は後方に向けて下り勾配を有している。係止部材１１２の基端部の前側は二股状に分岐している。各分岐部分１１２ｃの上面には三角状の爪１１２ｄが設けられている。爪１１２ｂｄの上縁は係止部材１１２の幅方向外方に向けて下り勾配を有している。係止部材１１２は、各分岐部分１１２ｃの先端部が壁１０８ａに形成された孔１０８ｂに挿通され、機枠ボックス部分の前方まで延びている。係止部材１２は、ばね１１５によって上方へ向けて付勢されている。
この係止部材１１２の機能については後述する。
【００１８】
（スライダ１３０）
スライダ１３０は固定ブロック１０３に取り付けられている。スライダ１３０は、前半部がロボット玩具３００の頭部３０４となっている。そして、頭部３０４の下側には突起１３２が付設されている。この突起１３２は、案内板１１３の長孔１１３ａに係合しており、スライダ１３０は、長孔１１３ａに沿って、前後方向に移動可能とされている。
スライダ１３０の後壁１３１には後方に向けて突出する突片１３２が形成されている。この突片１３２の先端部は、下枠１０８の壁１０８ａのスリット１０８ｃを通じて連結部１０９内に臨んでいる。
また、スライダ１３０の後壁１３１と蓋体１０７の下側の壁１０７ａとの間にはコイルばね１３３が設置されており、スライダ１３０は、後方に向けて付勢されている。
【００１９】
（可動ブロック１０５）
２つの可動ブロック１０５は第１の車両１００の左右に位置し、左右対称に形成されている。このうち左側可動ブロック１０５は車両１００の後部を除く部分の左半部を構成し、ロボット玩具３００に変形の際には右腕部を構成する。一方、右側可動ブロック１０５は車両１００の後部を除く部分の右半部を構成し、ロボット玩具３００に変形の際には左腕部を構成する。
各可動ブロック１０５は、可動ブロック本体１０５ａと、可動ブロック本体１０５ａに対して回動可能な可動部材１０５ｂとによって構成されている。また、各可動ブロック本体１０５ａは上下２つの部材１０５ａ−１，１０５ａ−２によって構成されている。
各可動ブロック本体１０５ａは固定ブロック１０３に支持されている。具体的には、各可動ブロック本体１０５ａの後端部には軸１０１が固定して設けられている。各軸１０１の下端部は、下枠１０６に形成された軸受１１０によって、また、上端部は、蓋体１０７に形成された軸受１１０によって支持されている。
そして、左右の可動ブロック１０５は、軸１０１を中心とする回動によって、互いに当接可能な閉位置と離反する開位置とを取り得るようになっている。
また、左右の可動ブロック１０５は、トーションばね１３５によって閉位置に向けて付勢されている。
また、軸１０１には、スライダ１３０の突当て部１３０ａの突き当たりによって、可動ブロック１０５を軸１１０を中心に回転させるための突起１０１ａが付設されている。  そして、左右の可動ブロック１０５は、スライダ１３０が前方へ動作した際に、スライダ１３０によって突起１０１ａが押圧されトーションばね１３５の付勢力に抗して開位置まで動作する。
【００２０】
各可動ブロック本体１０５ａには可動部材１０５ｂの後端部が軸１１６によって支持されている。このうち左側可動部材１０５ｂはロボット玩具３００に変形の際には右腕部の下腕部を構成する。一方、右側可動部材１０５ｂはロボット玩具３００に変形の際には左腕部の下腕部を構成する。
各可動部材１０５ｂは、軸１１６を中心とする回動によって、可動ブロック本体１０５ａに対して没入位置と突出位置とを取り得る。また、各可動部材１０５ｂは、トーションばね１１７によって、没入方向に付勢されている。
なお、左側可動ブロック１０５における可動部材１０５ｂには左側の前輪１０４が付設され、右側可動ブロック１０５における可動部材１０５ｂには右側の前輪１０４が付設されている。
【００２１】
（車両２００）
車両２００は自動車玩具である。車両２００は、左右の前輪２０２および後輪２０３が付設された固定ブロック２０４と、左右の可動ブロック２０５とを備えている。そして、車両２００の形態は、固定ブロック２０４、左右の可動ブロック２０５によって構成されている。
【００２２】
（固定ブロック２０４）
固定ブロック２０４は下枠２０６と上枠２０７とを備えている。下枠２０６には、左右の前輪２０２と左右の後輪２０３とが付設されている。下枠２０６の上面には幅方向中央にロッド２０８が立設されている。また、下枠２０６の上面には、ロッド２０８を左右から挟んで案内板２０９が前後方向に延在するよう設けられている。
上枠２０７は、上壁２０７ａ、左右側壁２０７ｂ、前壁２０７ｃおよび後壁２０７ｄを備えている。上枠２０７の前後方向中央には、上壁２０７ａと左右側壁２０７ｂとによって形成される角部にそれぞれ開口２１０が形成されている。上壁２０７ａの後部には左右にそれぞれ開口２１１が形成されている。前壁２０７ｃには切欠き２１２が形成されている。
また、上枠２０７の内部で前記切欠き２１２の直後には連結部２２０が形成されている。この連結部２２０の構造については後述する。
【００２３】
（スライダ２３０）
スライダ２３０は固定ブロック２０４に取り付けられている。スライダ２３０は、底壁２３１が平板となっており、底壁２３１の前端には前壁２３１ｂが立設されている。前壁２３１ｂには、前方に向けて突出する突片２３２が形成されている。この突片２３２の先端部は、連結部２２０の壁２２０ａの図示しないスリットを通じて連結部２２０内に臨んでいる。底壁２３１には、ロッド２０８に係合する長孔２３３が形成されている。この長孔２３３は、スライダ２３０の前後方向に長く形成され、ロッド２０８に係合することによって、スライダ２３０の前後方向の移動範囲を規制する。底壁２３１の上面には、長孔２３３を左右から挟むように突起２３４が形成されている。突起２３４は、上縁が後方に向けて下り勾配を有するように三角状に形成されている。底壁２３１の上面には、前記長孔２３３の後方にピン２３５が立設されている。そして、ピン２３５と、前記長孔２３３と係合状態にあるロッド２０８との間にはコイルばね２３６が掛けられ、スライダ２３０は、前方に向けて付勢されている。底壁２３１の上面後部左右には、逆Ｌ字状の突当て部２３７が設けられている。
【００２４】
（可動ブロック２０５）
２つの可動ブロック２０５は殻体を構成し、全体として、自動車のボンネット、フロントガラス、サイドガラスおよびルーフの形態を構成している。そして、左側可動ブロック２０５はその形態のうちの左半部の形態、右側可動ブロック２０５は右半部の形態をそれぞれ構成している。
各可動ブロック２０５はレバー２４０の一端に固定されている。レバー２４０は、固定ブロック２０４の上枠２０７に軸２０１を介して支持されている。軸２０１にはトーションばね２４２が装着されている。トーションばね２４２は、レバー２４０の一端に固定された可動ブロック２０５を閉じる方向に付勢している。
レバー２４０の他端は、スライダ２３０が後端側へ移動した際に、突起２３４と当接可能な位置まで延在している。そして、レバー２４０の他端は、スライダ２３０が後端側へ移動した際に、突起２３４によって押されて、可動ブロック２０５をトーションばね２４２の付勢力に抗して開く方向に動作させる。
【００２５】
（可動部材２５０）
２つの可動部材２５０は一体となっている。この２つの可動部材２５０は、自動車のリアガラスおよびトランクカバーの形態を構成している。この２つの可動部材２５０は固定ブロック２０４の上枠２０７に軸２５１を介して支持されている。図３において符号２５２は軸２５１の軸受である。軸受２５２は上枠２０７内に設けられ、可動部材２５０の先端側は上枠２０７の開口２１１から突出している。なお、軸受２５２は同図では１つしか示されていないが、左側壁の内面にも設けられている。
軸２５１にはトーションばね２５３が装着されている。トーションばね２５３は、可動部材２５０を閉じる方向に付勢する。、
この２つの可動部材２５０は、スライダ２３０が後端側へ移動した際に、突当て部２３７と当接可能となっている。そして、２つの可動部材２５０は、スライダ２３０が後端側へ移動した際に、突当て部２３７によって押されて、可動部材２５０をトーションばね２５３の付勢力に抗して開く方向に動作させる。可動部材２５０は、開く方向に動作した際には、ロボット玩具３００の足部３０７となる。
【００２６】
（連結部１０９，２２０）
連結部１０９および連結部２２０の縦断面の外縁は矩形となっている。そして、連結部１０９は連結部２２０に内側から嵌合可能に形成されている。連結部１０９には、図４にも示すように、連結部１０９を連結部２２０に嵌合させる際にスライダ２３０の突片２３２を押圧する押圧部１５０が設けられている。また、連結部２２０には、図４にも示すように、連結部１０９を連結部２２０に嵌合させる際にスライダ１３０の突片１３２を押圧する押圧部２６０が設けられている。
【００２７】
（係止部材１１２の機能）
係止部材１１２は軸１１２ａを中心に上下に揺動可能となっている。この係止部材１１２はコイルばね１１５によって上方に向けて付勢されている。そして、係止部材１１２の爪１１２ｄは、図５（Ａ）に示すように、可動ブロック１０５が閉じ且つ可動部材１０５ｂが可動ブロック本体１０５ａに没入した状態にあるとき、可動部材１０５ｂの下側の爪穴１０５ｂ−１に係合している。その結果、可動ブロック１０５が閉じ且つ可動部材１０５ｂが可動ブロック本体１０５ａに没入した状態を維持する。
連結部１０９を連結部２２０に嵌合させると、スライダ１３０が係止部材１１２の上面に対して摺動し、スライダ１３０の突起１１２ｂを下方に押圧する。これによって、係止部材１１２は軸１１２ａを中心に下方に揺動し、爪１１２ｄが可動部材１０５ｂの下側の爪穴１０５ｂ−１から外れる。その直後に、スライダ１３０の突当て部１３０ａが突起１０１ａに突き当たる。
【００２８】
（遊び方と動作）
２台の車両１００，２００には車輪が付設されているので、合体させる前は、それぞれ自動車玩具として使用することができる。
また、２台の車両１００，２００を連結部１０９，２２０により合体させると、車両１００側では、車両２００の押圧部２６０がスライダ１３０の突片１３２を押圧することによって、スライダ１３０がコイルばね１３３の付勢力に抗して前方に移動する。すなわち、スライダ１３０は、図５（Ａ）の位置から図５（Ｂ）の位置まで移動し、途中、スライダ１３０の前方への移動により係止部材１１２の突起１１２ｂの上に乗ることによって、係止部材１１２が軸１１２ａを中心に下方に揺動し、係止部材１１２の爪１１２ｄが可動部材１０５ｂの下側の爪穴１０５ｂ−１から外れる。その直後に、スライダ１３０が可動ブロック１０５の軸１０１の突起１０１ａを押し、可動ブロック１０５は軸１０１を中心に開位置まで動作する。その際、車両１００を上に車両２００を下にした状態であると、可動ブロック１０５のうち可動ブロック本体１０５ａは水平位置まで動作し、可動部材１０５ｂは、トーションばね１１７の付勢力に抗して自重で可動ブロック本体１０５ａから突出し垂下する。この時、頭部３０４が左右の可動ブロック１０５の間から突出する。
一方、２台の車両１００，２００の連結部１０９，２２０の合体によって、車両２００側では、車両１００の押圧部１５０がスライダ２３０の突片２３２を押圧することによって、スライダ２３０がコイルばね２３６の付勢力に抗して後方に移動する。すなわち、スライダ２３０は、図６（Ａ）の位置から図６（Ｂ）の位置まで移動し、スライダ２３０の後方への移動によりレバー２４０の下端が突起２３４の上に乗ることによって可動ブロック２０５が軸２０１を中心に露出位置まで動作するとともに、突当て部２３７が可動部材２５０を押圧することによって可動部材２５０が軸２５１を中心に突出位置まで動作する。
【００２９】
また、２台の車両１００，２００を連結部１０９，２２０による連結を解除（合体を解除）させると、車両１００側では、スライダ１３０がコイルばね１３３の付勢力によって後方位置まで移動する。すなわち、スライダ１３０は、図５（Ｂ）の位置から図５（Ａ）の位置まで移動する。途中、スライダ１３０の後方への移動により係止部材１１２の突起１１２ｂの上から退避するので、係止部材１１２が軸１１２ａを中心に上方に揺動する。その際、スライダ１３０が軸１０１の突起１０１ａからも離れるので、可動ブロック１０５はトーションばね１３５の付勢力によって軸１０１を中心に閉位置まで動作する。同時に、可動部材１０５ｂも可動ブロック１０５の動作に基づく遠心力とトーションばね１１７の付勢力によって軸１１６を中心に没入位置まで動作する。そして、可動部材１０５ａの爪穴１０５ａ−１に係止部材１１２の爪１１２ｄが係合する。これによって、ロボット玩具３００の上半身が車両１００の形態に変化する。
一方、連結部１０９，２２０の連結解除（合体解除）によって、車両２００側では、スライダ２３０がコイルばね２３６の付勢力によって前方位置まで移動する。すなわち、スライダ２３０は、図６（Ｂ）の位置から図６（Ａ）の位置まで移動する。これによって、可動部材２５０はコイルばね２５３の付勢力によって倒れて車両２００の後部リッド等となる。また、スライダ２３０が前方へ移動すると、レバー２４０の下端部が軸２０１を中心に下降する方向に動作し、可動ブロック２０５が軸２０１を中心に被覆位置まで動作する。これによって、ロボット玩具３００の下半身が車両２００の形態に変化する。
【００３０】
図７は、上記車両１００，２００の展示装置６０を示している。この展示装置６０は、ヒンジ６１によって回動自在に連結された２枚の板体６２，６３を備えている。そして、板体６２，６３には、三角形状の台６４，６５が立設されている。そして、車両１００を台６４に載置固定し、車両２００を台６５に載置固定する。
【００３１】
この展示装置６０に設置された車両１００，２００は、図７（Ａ）に示すように、板体６２，６３が同一平面上にあるときは、互いに離反された状態にあり、図７（Ｂ）に示すように、板体６２，６３を所定角度回動させると、車体１００，２００は互いに連結される。
【符号の説明】
【００３２】
１００  車両
１０１  軸
１０２  前輪
１０４  後輪
１０３  固定ブロック
１０５  可動ブロック
１０５ａ  可動ブロック本体
１０５ｂ  可動部材
１１２  スライダ
１１２ｄ  爪
１１３  コイルばね
１１６  軸
１１７  トーションばね
１３５  トーションばね
２００  車両
２０１  軸
２０４  固定ブロック
２０５  可動ブロック（殻体）
２３０  スライダ
２３６  コイルばね
２５０  可動部材
２５３  トーションばね
【図１】
2011062400.tif 000003
【図２】
2011062400.tif 000004
【図３】
2011062400.tif 000005
【図４】
2011062400.tif 000006
【図５】
2011062400.tif 000007
【図６】
2011062400.tif 000008
【図７】
2011062400.tif 000009